(57)【特許請求の範囲】
【請求項１】
ホーンと、音導管と、スピーカドライバとを備えるホーンスピーカであって、
ホーンは、少なくとも後側で近接し、前側に放音用の開口部を形成する２つのホーン板を有すると共に、一方のホーン板には、後側で左右方向のほぼ中央位置に、前後方向に長辺が沿う長方形の貫通孔が設けられ、
音導管は、一端を貫通孔に連結すると共に、他端をスピーカドライバに連結する
ホーンスピーカ。
【請求項２】
貫通孔には、ほぼ同じ長さの複数の音導管が連結され、各音導管の他端にはそれぞれスピーカドライバが連結された
請求項１に記載のホーンスピーカ。
【請求項３】
他方のホーン板には、貫通孔と対向する位置に、スピーカドライバから供給される音を所定方向に案内する案内部を設けた
請求項１または２に記載のホーンスピーカ。
【請求項４】
音導管は、ホーンの前後方向における断面が、貫通孔に向かうに従って大となる形状とする
請求項１に記載のホーンスピーカ。
【請求項５】
ホーンと、第１及び第２音導管と、第１及び第２スピーカドライバと、案内部とを備えるホーンスピーカであって、
ホーンは、後側で近接し、前側に放音用の開口部を形成する２つのホーン板を有すると
共に、各ホーン板には、後側で左右方向のほぼ中央位置に、前後方向に長辺が沿う長方形の貫通孔が対向して設けられ、第１及び第２の音導管は、一端をホーン板の各貫通孔に連結すると共に、他端を第１及び第２のスピーカドライバに連結し、
案内部は、２つの貫通孔の中間位置に設けられ、第１及び第２のスピーカドライバから供給される音を所定方向に案内する
ホーンスピーカ。
【発明の詳細な説明】
【０００１】
【発明の属する技術分野】
本発明は、ホーンスピーカに関し、特に指向特性に特徴のあるホーンスピーカに関する。
【０００２】
【従来の技術】
一般に、例えば廊下や会議室等の比較的に広い空間にスピーカを設置する場合、図１４に示すように、スピーカ１０１を天井１０に取り付けることが多い。これは、広範囲にわたって音を拡声するためであるが、同図に示すように、１台のスピーカ１０１を真下に向けた状態で取り付けただけでは、このスピーカ１０１が拡声（音の放射）の対象としている範囲（空間）に対して一様に音を拡声することができない。例えば、スピーカ１０１の真下付近に居る聴取者１１０にとっては、スピーカ１の拡声音が大きく聴こえるものの、スピーカ１０１から少し離れた場所に居る聴取者１１１に対しては、上記聴取者１１０に比べて上記拡声音が極端に小さくなる。従って、聴取者１１０、１１１がスピーカ１０１の下方を通過する際、スピーカ１０１から聞こえる拡声音のレベルが激しく変化するため、違和感を感じたり、或いは拡声音の内容が聞き取り難い等の問題がある。
【０００３】
そこで、従来、図１５に示すように、スピーカ１０１を複数台、例えばこれを廊下に設置する場合には２台設け、これら各スピーカ１０１、１０１をそれぞれ角度を付けて設置することによって、上記問題を解決していた。即ち、各スピーカ１０１、１０１を、廊下の伸延方向に沿って配置すると共に、それぞれが出力する音を音圧レベルの不足している箇所、例えば各スピーカ１０１、１０１から廊下の伸延方向に沿って少し離れた場所に向けて拡声するように、互いに相反する方向に傾けた状態で取り付ける。これによって、スピーカ１０１、１０１から離れた場所、例えば聴取者１１１の居る場所に対しても大きな拡声音レベルを確保することができ、ひいては拡声対象範囲に対して一様な拡声音レベルを与えることができる。
【０００４】
【発明が解決しようとする課題】
しかし、上記図１５に示す従来技術においては、スピーカ１０１、１０１から少し離れた場所に対しては大きな拡声音レベルを確保することができるものの、各スピーカ１０１、１０１の真下付近においては、各スピーカ１０１、１０１の各拡声音が互いに干渉し、これによって、例えば図１６に示すように、ポーラパターン２００上にピークディップ２００ａが発生してしまう。従って、スピーカ１０１、１０１の真下付近においては音圧レベルが不安定となり、場合によっては、上記図１４よりも不快さを感じたり、或いは拡声音が聞き取り難くなるという問題がある。
【０００５】
そこで、本発明は、スピーカ、詳しくはスピーカドライバ（以下、単にドライバという。）を１台とすることによって、上記のような音の干渉を防止すると共に、ドライバを１台のみとするにも係わらず、廊下等の比較的に広い空間に対して一様な音圧レベルを与えることのできるホーン形のスピーカを提供することを目的とする。そして、このようなスピーカだけでなく、例えば広角度に一定（均一）の音圧レベルを与えることのできる所謂広指向性のスピーカを実現する等、それぞれの用途に応じた指向特性を有するスピーカを提供することが、本発明の主な目的である。更に、ドライバを複数台用いた場合でも、上記のような干渉が生じることのないホーンスピーカを提供することも、本発明の目的とするところである。
【０００６】
【課題を解決するための手段】
本発明のうち請求項１記載の発明は、ホーンと、音導管と、スピーカドライバとを備えるホーンスピーカであって、ホーンは、少なくとも後側で近接し、前側に放音用の開口部を形成する２つのホーン板を有すると共に、一方のホーン板には、後側で左右方向のほぼ中央位置に、前後方向に長辺が沿う長方形の貫通孔が設けられ、音導管は、一端を貫通孔に連結すると共に、他端をスピーカドライバに連結するものである。
【０００７】
請求項２記載の発明は、請求項１記載の発明において、貫通孔には、ほぼ同じ長さの複数の音導管が連結され、各音導管の他端にはそれぞれスピーカドライバが連結されたものである。
【０００８】
請求項３記載の発明は、請求項１または２記載のホーンスピーカにおいて、他方のホーン板には、貫通孔と対向する位置に、スピーカドライバから供給される音を所定方向に案内する案内部を設けたものである。
【０００９】
請求項４記載の発明は、請求項１記載の発明において、音導管は、ホーンの前後方向における断面が、貫通孔に向かうに従って大となる形状とするものである。
【００１０】
請求項５記載の発明は、ホーンと、第１及び第２音導管と、第１及び第２スピーカドライバと、案内部とを備えるホーンスピーカであって、ホーンは、後側で近接し、前側に放音用の開口部を形成する２つのホーン板を有すると共に、各ホーン板には、後側で左右方向のほぼ中央位置に、前後方向に長辺が沿う長方形の貫通孔が対向して設けられ、第１及び第２の音導管は、一端をホーン板の各貫通孔に連結すると共に、他端を第１及び第２のスピーカドライバに連結し、案内部は、２つの貫通孔の中間位置に設けられ、第１及び第２のスピーカドライバから供給される音を所定方向に案内するものである。
【００２８】
【発明の実施の形態】
本発明に係るホーンスピーカの一実施の形態について、図１から図１２を参照して説明する。
【００２９】
図１は、本実施の形態のスピーカ１の外観斜視図、図２は、三面図と主要部分の断面図である。なお、このスピーカ１は、その取り付け方向が特に限定されるものではないが、本実施の形態においては、説明を簡明にするために、図２（ｂ）に示す正面図を基準として、その上下及び左右方向を本スピーカ１自体の上下及び左右方向とし、紙面の表裏方向を本スピーカ１自体の前後方向として説明する。
【００３０】
図１及び図２において、２は、図示しない入力端子から入力される電気信号を音に変換するドライバで、このドライバ２は、上記電気信号を変換して得た音を音波放出面２１から放出する。音波放出面２１は、真下に向けられた状態で音導管３の一端に結合されており、この音導管３内に上記音を放出する。なお、このようなドライバ２は、一般に、電気−音響変換機構によって、例えば動電（ダイナミック）形や電磁（マグネチック）形、或いは電歪形や放電形等に分類されるが、このドライバ２の電気−音響変換機構がどのようなものであるのかについては、本発明の特徴に直接関係しないので、ここでは特に限定しない。
【００３１】
音導管３は、上記一端に供給されたドライバ２の放出音を他端側に伝搬するもので、例えばＡＢＳ樹脂等の硬質樹脂製の四角管とされている。ただし、この四角管を形成する４つの壁面３１乃至３４のうち、左右に位置する壁面３１及び３２については、互いに平行かつ近接した状態で、ドライバ２の音波放出面２１から略垂直に真下に向かって伸延している。また、後方の壁面３３についても、上記左右の壁面３１及び３２と同様に、これらに直角を成した状態で、ドライバ２の音波放出面２１から略垂直に真下に向かって伸延している。そして、前方に位置する壁面３４は、これと隣り合う左右の壁面３１及び３２と略直角を成すと共に、ドライバ２の音波放出面２１から下方に向かうに従って前方に傾斜する状態に設けられている。従って、この音導管３の一端から他端（即ち下方）に向かう方向を横切る断面は、他端に向かうに従って前方に細長く伸延する長方形状となる。そして、この音導管３の上記音の出口となる他端は、その開口部が略水平に沿うように形成されており、この他端に、ホーン４が結合されている。
【００３２】
ホーン４は、２枚の湾曲板４１、４２と、これら２枚の湾曲板４１、４２に結合したがいりゃｋウ長方形の側壁板４３とによって構成されており、外観上は、例えば一般に知られているラジアル形やセクトラル形等のものと類似した概略扁平形のものである。即ち、２枚の湾曲板４１、４２は、それぞれ略同一形状のもので、例えば丸底の中華鍋を半円状に略半分に切断したような形状をしている。そして、それぞれの外周縁を揃えると共に、各害周縁のうち円弧の部分を互いに平行にし、かつ互いの凸面側を若干の距離を隔てて対向させた状態で、上記切断部分に対応する後方側の側縁部分を側壁板４３の左右両側縁に揃えられており、これによって各湾曲板４１、４２の外周縁の円弧部分と側壁板４３の左右両側縁とによって外側に向かって開口した閉ループが形成されている。なお、側壁板４３の左右両端部は、それぞれ後方側に若干湾曲しており、この湾曲した形状に合わせて、湾曲板４１、４２の左右両端部もまた、後方側に若干鋭利に突出した形状とされている。
【００３３】
また、上記２枚の湾曲板４１、４２のうち上方にある湾曲板４１については、上記半円の略中心に相当する位置、即ちこの湾曲板４１の左右方向における略中央でかつ側壁板４３に近接した位置に、上述した音導管３の他端側の開口部と略同じ大きさの細長い長方形の貫通孔４４が、前後に伸延する状態に穿設されている。そして、この貫通孔４４の開口周縁と、上記音導管３の他端側の開口部周縁とを一致させた状態で、この湾曲板４１（即ちホーン４）と上記音導管３の他端とが結合されている。
【００３４】
従って、上記音導管３の他端から出力される音は、上記貫通孔４４を介して、湾曲板４１、４２と側壁板４３とによって囲まれた空間、即ちホーン４内に供給される。そして、このホーン４内に供給された音は、外側に向かって、即ち上述した閉ループ側に向かってホーン４内を伝搬し、外部へと放出される。従って、このホーン４によれば、貫通孔４４が、このホーン４に対する上述したドライバ２の音の供給口となる喉部（スロート）に相当する。そして、音の放出口となる上記閉ループに囲まれた空間４５が、開口部（マウス）に相当する。なお、各図から明らかなように、開口部４５から放出される音は、主に、側壁板４３よりも前方で、かつ貫通孔４４が穿設された位置を略中心として放射状に（半円の半径方向に）、即ち扇形状に、概略水平面に沿って拡声される。
【００３５】
更に、下方にある湾曲板４２の上面には、上記貫通孔４４の左右方向における略中央に対向する位置に、貫通孔４４側に向けて突出した案内部４６が設けられている。この案内部４６は、貫通孔４４を介してホーン４内に供給された音を、所定の方向に案内するもので、ここでは、この案内部４６として、細長い概略山脈状のものを用いている。そして、この概略山脈状の案内部４６を、貫通孔４４の長さ方向（前後方向）に沿って伸延させており、これによって、図２（ｄ）に矢印で示すように、ホーン４内に供給される上記音を左右方向に案内している。この案内部４６の案内作用により、音導管３とホーン４との音響的な接続が滑らかになり、音導管３からホーン４内に供給される音に音響的な不連続が生じるのを抑制できる。
【００３６】
なお、図１及び図２における４７は、丸棒状の支持棒で、この支持棒４７は、上記貫通孔４４が設けられた位置から斜め前方の位置に、各湾曲板４１、４２間に略垂直に２本ずつ設けられており、これによって、各湾曲板４１、４２間を互いに支持している。また、側壁板４３には、ドライバ２との物理的な干渉を避けるために切り欠いた切欠部４８を設けている。
【００３７】
ところで、本実施の形態によれば、上記のように、ホーン４に対する音の供給口となる貫通孔４４を、ホーン４の前後方向に細長く伸延する長方形状としている。従って、ホーン４に対する音の供給源として、直線状の所謂線状音源（以下、貫通孔４４と同一符号を用いる。）を形成したのと略等価な状態となる。そして、この線状音源４４を、ホーン４を形成する上方側の湾曲板４１上に設け、これによって、ホーン４の拡声方向に対して角度を成してホーン４内に音を供給するよう構成している。
【００３８】
このような構成においては、線状音源４４からホーン４内に供給される音は、主に、線状音源４４の成す直線の周囲方向に向かって、即ちホーン４の左右に向かって、拡声される。つまり、これら２つの方向に向けてそれぞれ拡声する２つの音源が存在するのと略等価な状態となり、これを概念的に表わすと、図３のようになる。即ち、同図に示すように、ドライバ２と音導管３とから成る音源が２つ存在し、これら各音源による指向特性が、同図に一点鎖線５ａ、５ｂで示すように、それぞれホーン４の左右両側に形成されるのと略等価な状態となる。
【００３９】
ただし、上記各音源による指向特性５ａ、５ｂは、同図に示すように、ホーン４の左右真横方向よりも若干前方（同図の下方）側に片寄った特性、即ちホーン４の左右斜め前方に対する音圧レベルが最大となるような特性となる。これは、音導管３を形成する前方側の壁面３４が、上述したように、ドライバ２からホーン４に向かうに従って前方に傾斜しているためである。即ち、この壁面３４の傾斜により、ドライバ２から音導管３を介してホーン４内に供給される音が、ホーン４の前方に向かって若干斜めに供給される。これによって、ホーン４の前方に対する音波面の進行が、他の方向に比べて整合し易くなり、その結果、各音源による指向特性５ａ、５ｂが、上記のように若干前方側に片寄った特性となる。
【００４０】
このように、本実施の形態によれば、上記２つの音源が形成されたのと等価な状態となるので、スピーカ１全体の指向特性（ポーラパターン）としては、図４に実線５で示すように、上記各音源の指向特性５ａ、５ｂを合成したのと略等価な特性が得られる。これにより、同図に二点鎖線の直線５０で示すように、ホーン４の前方（同図の下方）から左右斜め前方に至る比較的に広い領域に対して略一様な音圧レベルを与えることのできる特性５が得られる。
【００４１】
なお、このように２つの音源の指向特性５ａ、５ｂを合成したのと略等価な特性５が得られたとしても、これら２つの音源は飽くまでも仮想的なものであって、実際の音源は、１台のドライバ２のみである。よって、スピーカ全体の指向特性（ポーラパターン）５には、上述した従来技術のようなピークディップ２００ａは発生しない。
【００４２】
従って、上述した廊下等の直線状の聴衆エリアに対して一様に音を拡声したい場合には、図５に示すように、本実施の形態のスピーカ１を、天井１０に設置すれば、ここで拡声対象とする領域に対して、一様な音圧レベルを与えることができる。また、このとき、ポーラパターン５上に上記のようなピークディップ２００は生じないので、聴取者（図示せず）に対して不快さを与えたり、拡声音が聴き取り難くなる等という問題も起こらない。即ち、上述した従来技術の問題点を解決できる。
【００４３】
なお、本実施の形態においては、本発明を廊下等の天井スピーカに応用する場合について説明したが、これに限らない。例えば、壁面に設置したり、或いはエンクロージャ内に収容したりする形式のスピーカ等、天井スピーカ以外の用途にも、本発明を適用できる。
【００４４】
また、ドライバ２から音導管３を介してホーン４内に供給される音波に、音響的な乱れが生じないように案内部４６を設けたが、上記音響的な乱れが生じる恐れがない場合には、特に案内部４６を設ける必要はない。
【００４５】
そして、ホーン４の上面及び底面に相当する壁面を、それぞれ湾曲板４１、４２で形成することにより、ホーン４内の空間が、ホーン４の内側（音導管３が設けられている位置）から外側（開口部４５）に向かって上下方向に指数関数（Exponential）的に広がるように構成したが、これに限らない。例えば、上記湾曲板４１、４２として、それぞれの面の凹凸が本実施形態とは逆のものを用いることによって、ホーン４内の空間が、ホーン４の内側から外側に向かって上下方向に放物線（放物面：parabolic）的に変化するように構成してもよい。また、ホーン４の上面及び底面を湾曲させるのではなく、各面をホーン４の内側から外側に向かって上下方向に一定の比率で広がるように構成してもよい。更に、ホーン４の上面及び底面に相当する壁面を、互いに略平行をなす平板で形成することにより、ホーン４の形状を、上述したラジアル形ホーンと略等価な形状としてもよい。
【００４６】
また、ホーン４の後方寄りの位置に音導管３を結合したが、例えば図２（ａ）におけるＰ点のような、前方寄りの位置に結合してもよい。この場合、ホーン４の前方側に対する音圧レベルが若干増強すると共に、ホーン４の後方側、特に左右斜め後方側にも音波が拡声される等、スピーカ１の指向特性が変化する。勿論、スピーカ１の用途に応じて、ホーン４の上記Ｐ点以外の位置に、音導管３を結合することにより、指向特性を変えてもよい。
【００４７】
更に、ホーン４に対する音導管３の結合角度を変えることによって、スピーカ１の指向特性５を変えてもよい。例えば、図６に矢印２０で示すように、音導管３を、ホーン４の後方側に傾けると、音導管３からホーン４内に供給される音波面の進行が、ホーン４の前方に対してより整合し易くなる。これによって、上述した２つの音源の各指向特性５ａ、５ｂ（同図には示さない）が、更に前方側に片寄るので、結果的に、ホーン４の前方（正面）に対する音圧レベルが、同図に矢印５１で示すように増大して、例えば同図に一点鎖線５１ａで示すような指向特性が得られる。
【００４８】
そこで、この図６の技術を応用すれば、例えば図７に示すような広指向性のスピーカを実現できる。即ち、音導管３を、ホーン４の後方側に更に傾けると、上述した２つの音源の各指向特性５ａ、５ｂ（同図には示さない）が、更に前方側に片寄る。これによって、ホーン４の左右両側に対する音圧レベルは低下するものの、ホーン４の正面に対する音圧レベルは更に増大する。従って、ホーン４（スピーカ１）の左右斜め前方（同図の左右斜め下方）に対する音圧レベルと、スピーカ１の正面（同図の下方）に対する音圧レベルとが、略同レベルになる程度に、ホーン４に対する音導管３の結合角度を後方側（同図の上方側）に傾斜させれば、同図に実線５で示すように、スピーカ１の左右広角度θに対して、略一定（均一）の音圧レベル（スピーカ１の正面の音圧レベル（最大レベル）から−６ｄＢの範囲内のレベル）を与えることができ、即ち広指向性を実現できる。
【００４９】
ここで、例えば、一般のスピーカ（例えば上述した従来技術のスピーカ１０１）の指向特性を、図７に一点鎖線５３で示す。この一般のスピーカの指向特性５３と、本実施の形態の応用例の指向特性５とを比較して判るように、一般のスピーカによって略一定の音圧レベルを与えることのできる指向角φよりも、本実施の形態の応用例による上記指向角θの方が遥かに大きい。因みに、一般のスピーカによる指向角φは、φ＝９０度乃至１００度程度であるのに対して、本実施の形態の応用例によれば、上記指向角θとして、例えばθ＝１２０度以上の広指向性を実現できる。
【００５０】
なお、この図７に示す応用例では、拡声対象とする角度θに対して、略一定の音圧レベルを与えることを目的としているので、ホーン４の開口部（マウス）４５を、上述した図１及び図２に示す概略半円状のホーン４ほど広く開ける必要はない。例えば、開口部４５における放射インピーダンス等を考慮すれば、開口部４５の大きさ（開き角）は、拡声対象とする角度θを満足する程度の大きさとするのが望ましい。この場合、ホーン４の形状は、例えば図８に示すように、上記角度θを満足する程度の開口部４５を有する概略扇形状とすればよい。また、この図８に示すホーン４に代えて、例えば図９に示すように、上記図８のホーン４の前方の円弧部分を切り取ったような形状としてもよい。
【００５１】
また、本実施の形態においては、ドライバ２を１台のみとしたが、このドライバ２を複数台設けることによって、拡声音レベルの増強を図ってもよい。ただし、この場合、上述した従来技術のようなピークディップ２００ａの発生を防止するために、次のように構成する。
【００５２】
即ち、ピークディップという現象は、一般に、周波数の等しい複数の音が、互いに位相がずれた状態で干渉し合ったときに発生することが知られている。例えば、各音の位相が１／２波長（λ／２）分ずれているときには各音は互いに打ち消し合い、各音の位相が１波長（λ）分ずれているときには各音が互いに増強し合い、これによってピークディップという現象が生じる。つまり、各音の経路差が大きいほど低周波領域でピークディップが発生し、経路差が小さくなるほどピークディップが発生する周波数領域は高くなる。従って、複数台のドライバを用いる場合は、各ドライバから出力される音の経路差を小さくして、ピークディップが発生する周波数領域が可聴周波数領域よりも高くなるように構成すれば、聴感上、実質的にピークディップの発生を防止できることになる。
【００５３】
そこで、例えば２台のドライバを用いる場合、例えば図１０に示すように構成すればよい。同図に示すように、このスピーカ１は、上述したドライバ２及び音導管３と同一のドライバ２ａ及び音導管３ａを更にもう一台ずつ設け、これらを上記ドライバ２及び音導管３と上下対象となるように、下方の湾曲板４２に結合したものである。勿論、湾曲板４２の上記音導管３ａが結合される部分には、上方の湾曲板４１の貫通孔４４と同様の貫通孔４４ａが穿設されている。なお、同図において、４６ａは、各ドライバ２、２ａから音導管３、３ａを介してホーン４内に供給される音を左右方向に案内する案内部で、例えば上述した図２に示す案内部４６を２つ張り合わせたのと同様な形状をしており、例えば側壁板４３に結合されている。
【００５４】
上記構成によれば、音導管３、３ａの音の供給口が近接すると共に、各ドライバ２、２ａからホーン４の中心までの距離Ｌ１、Ｌ２がそれぞれ同一寸法となる。従って、ピークディップの発生する周波数領域は高くなり、各音導管３、３ａの音の供給口間の距離Ｄを、可聴周波数の上限波長λよりも短い距離、例えばＤ＝λ／２以下、詳しくはＤ＝λ／３乃至λ／５程度（約６ｍｍ乃至３．５ｍｍ）とすれば、可聴周波数におけるピークディップの発生を防止できる。
【００５５】
また、上記図１０とは別に、例えば図１１に示すように構成してもよい。即ち、各音導管３、３ａの他端を、それぞれ湾曲板４１（又は４２）上の近接した位置、例えば同一箇所に、左右斜めに傾けて結合する。このように構成することによって、スピーカ１の拡声音レベルを増強させるだけでなく、例えば同図に矢印２２、２２ａで示すように、ホーン４に対する各音導管３、３ａ（ドライバ２、２ａ）の左右方向の傾き角度を調整することによって、例えば図１２に矢印５２、５２、・・・で示すように、指向特性（ポーラパターン）５をより微妙に制御することができる。更に、図１２に矢印２３、２３ａで示すように、ホーン４に対する各音導管３、３ａ（ドライバ２、２ａ）の前後方向の傾き角度を調整することによっても、上記指向特性５を制御できる。
【００５６】
【実施例】
上述した図１及び図２に示すスピーカ１において、拡声音の周波数ｆをｆ＝１２５０Ｈｚ、２５００Ｈｚ、５０００Ｈｚ、１００００Ｈｚとしたときのポーラパターンを、図１３（ａ）乃至（ｄ）にそれぞれ示す。同図に示すように、各周波数ｆにおいて、上述した図４に示すポーラパターン５と同様、スピーカ１の前方から左右斜め前方に至る範囲に対して一様の音圧レベルを与えることのできるポーラパターン、即ち直線状の聴衆エリア、例えば廊下等の天井スピーカとして設置するのに適したポーラパターンが得られることが判る。
【００５８】
【発明の効果】
以上のように、請求項１記載の発明によれば、ホーンに対する音の供給源として線状音源を形成することによって、１台のドライバにより仮想的に２つの音源を設けたのと等価な状態を形成している。従って、ホーンに対する音導管の結合状態によって、上記２つの音源の指向性を制御することができ、ひいてはスピーカ全体の指向性を制御することができる。なお、上記２つの音源は仮想的なものであり、飽くまでもドライバは１台であるので、上述した従来技術のようなピークディップ２００ａは発生しない。従って、聴取者に対して不快感を与えたり、或いは拡声音が聞き取りがたい等という従来技術の問題点を解消できる。
【００６０】
請求項３に記載の発明のホーンスピーカによれば、案内部による音の案内作用によって、音波の進行に不連続が生じるのを抑制できる。従って、拡声音の周波数特性に乱れが生じず、安定した拡声音を出力できるという効果がある。請求項４に記載の発明のホーンスピーカによれば、ホーンの前方に対する音波面の進行が、他の方法に比べて整合しやすくなる。
【００６１】
請求項２、５に記載の発明のホーンスピーカによれば、複数のドライバを設けているので、より大きい音圧レベルを得ることができる。
【図面の簡単な説明】
【図１】本発明に係るホーンスピーカの一実施の形態を示す外観斜視図である。
【図２】同実施の形態を示す図で、（ａ）は平面図、（ｂ）は正面図、（ｃ）は側面図、（ｄ）は（ａ）のＡ−Ａ断面図、（ｅ）は（ａ）のＢ−Ｂ断面図である。
【図３】同実施の形態の指向特性を概念的に表わす図である。
【図４】図３から得られるスピーカ全体の指向特性（ポーラパターン）図である。
【図５】同実施の形態を天井スピーカに応用した場合のイメージ図である。
【図６】同実施の形態により指向特性を変化させる場合のイメージ図である。
【図７】同実施の形態の応用例を示す図である。
【図８】図７を実現するスピーカの外観斜視図である。
【図９】図８とは別の例の外観斜視図である。
【図１０】同実施の形態の別の応用例を示す図である。
【図１１】上記図１０とは異なる例を示す図である。
【図１２】上記図１１のスピーカを天井に取り付けた状態を示す図である。
【図１３】同実施の形態の実施例を示すもので、（ａ）は周波数ｆがｆ＝１２５０Ｈｚ、（ｂ）はｆ＝２５００Ｈｚ、（ｃ）はｆ＝５０００Ｈｚ、（ｄ）はｆ＝１００００Ｈｚのときのポーラパターン図である。
【図１４】従来の天井スピーカの使用状態を示す概略図である。
【図１５】図１４のスピーカを改良した従来例の概略図である。
【図１６】図１５のスピーカのポーラパターン図である。
【符号の説明】
１  スピーカ
２  スピーカドライバ
３  音導管
４  ホーン
【図１】
0003732007.tif 000002
【図２】
0003732007.tif 000003
【図３】
0003732007.tif 000004
【図４】
0003732007.tif 000005
【図５】
0003732007.tif 000006
【図６】
0003732007.tif 000007
【図７】
0003732007.tif 000008
【図８】
0003732007.tif 000009
【図９】
0003732007.tif 000010
【図１０】
0003732007.tif 000011
【図１１】
0003732007.tif 000012
【図１２】
0003732007.tif 000013
【図１３】
0003732007.tif 000014
【図１４】
0003732007.tif 000015
【図１５】
0003732007.tif 000016
【図１６】
0003732007.tif 000017